(57)【要約】【課題】ニュートンリングの発生を抑制でき、モアレ現象を抑制でき、更に正面輝度を高めることができるプリズムシートを提供する。【解決手段】本発明に係るプリズムシート１は、第１の表面１ａ側に、複数のプリズムレンズ１ｃを有し、第２の表面１ｂ側に、柱状の複数の凸部１ｅを有する。第１の表面１ａが上方かつ第２の表面１ｂが下方となるようにプリズムシート１を配置したときに、凸部１ｅ１個当たりの上面の面積Ａ（ｍｍ２）が１×１０−５以上、３×１０−３以下であり、凸部１ｅ１個当たりの下面の面積Ｂ（ｍｍ２）が凸部１ｅ１個当たりの上面の面積Ａ（ｍｍ２）の０．５倍以上、０．９倍以下であり、凸部１ｅにおける上面と側面とのなす内角α１（°）が４５以上、８０以下であり、隣り合う凸部１ｅの中心間の距離ΔＷ１（ｍｍ）が０．０２以上、０．７以下である。【選択図】図１
2012068514.tif 000002
【特許請求の範囲】
【請求項１】
第１の表面側に、複数のプリズムレンズを有し、
前記第１の表面側とは反対の第２の表面側に、柱状の複数の凸部を有し、
前記第１の表面が上方かつ前記第２の表面が下方となるようにプリズムシートを配置したときに、前記凸部１個当たりの上面の面積（ｍｍ２）が１×１０−５以上、３×１０−３以下であり、前記凸部１個当たりの下面の面積（ｍｍ２）が前記凸部１個当たりの上面の面積（ｍｍ２）の０．５倍以上、０．９倍以下であり、前記凸部における上面と側面とのなす内角（°）が４５以上、８０以下であり、隣り合う前記凸部の中心間の距離（ｍｍ）が０．０２以上、０．７以下である、プリズムシート。
【請求項２】
隣り合う前記プリズムレンズの頂部間の距離（μｍ）が、２０以上、１００以下である、請求項１に記載のプリズムシート。
【請求項３】
前記プリズムレンズの頂角（°）が８０以上、１０５以下である、請求項１又は２に記載のプリズムシート。
【請求項４】
少なくとも前記プリズムレンズが、ポリカーボネートにより形成されている、請求項１〜３のいずれか１項に記載のプリズムシート。
【請求項５】
前記凸部の形状が、円錐台又は多角錐台である、請求項１〜４のいずれか１項に記載のプリズムシート。
【請求項６】
前記第２の表面側に、前記プリズムレンズの屈折率よりも屈折率が低い領域を有する、請求項１〜５のいずれか１項のプリズムシート。
【請求項７】
前記プリズムレンズの屈折率よりも屈折率が低い領域が、前記凸部の外表面の領域を含む、請求項６に記載のプリズムシート。
【請求項８】
前記プリズムレンズの屈折率が１．３０以上、１．４０以下であり、前記プリズムレンズの屈折率よりも屈折率が低い領域の屈折率が１．５５以上、１．６５以下である、請求項６又は７に記載のプリズムシート。
【発明の詳細な説明】
【技術分野】
【０００１】
本発明は、例えば、液晶表示装置又は照明器具などにおいて、光を制御するために用いられるプリズムシートに関し、より詳細には、液晶表示装置のバックライトユニット等に用いられるプリズムシートに関する。
【背景技術】
【０００２】
従来、液晶表示装置又は照明器具では、点状光源又は線状光源等の光源の光出射面側に、光の拡散又は集光などを目的として透明な光学シートが配置されている。この種の光学シートとして、該光学シートの光出射面側に複数のレンズが設けられたレンズシートが広く用いられている。光源から出射された光がレンズシートに入射した後、入射した光の出射方向をレンズの形状によって制御できる。これによって、例えば、液晶表示装置の輝度むらの抑制又は輝度の向上が図られている。
【０００３】
上記レンズシートとして、プリズムシートが広く知られている。該プリズムシートは、例えば、液晶表示装置のバックライトユニットに用いられている。
【０００４】
上記プリズムシートの一例として、下記の特許文献１には、一方の表面側に凸状の複数のプリズムレンズを有し、かつ他方の表面側に複数の球状ビーズを含むコーティング層を有するプリズムシートが開示されている。上記球状ビーズの粒径分布の半値幅は１μｍ以下である。
【０００５】
下記の特許文献２には、一方の表面側に凸状の複数のプリズムレンズを有し、かつ他方の表面側に凹凸形状が付与されているプリズムシートが開示されている。
【先行技術文献】
【特許文献】
【０００６】
【特許文献１】特開平１１−１３３２１４号公報
【特許文献２】特開平０９−０８０２０９号公報
【発明の概要】
【発明が解決しようとする課題】
【０００７】
バックライトユニットにプリズムシートを用いることにより、特定方向の輝度を上昇させ、光の利用効率を高めることができる。しかしながら、特許文献１，２に記載のような従来のプリズムシートを用いて液晶表示装置などを形成すると、光の干渉に起因するニュートンリングが見られることがある。
【０００８】
さらに、従来のプリズムシートを用いたバックライトユニットでは、ニュートンリングが見られることがあるだけでなく、高い輝度が得られないこともある。さらに、従来のプリズムシートでは、モアレ現象を十分に抑制できないこともある。
【０００９】
本発明の目的は、プリズムシートに起因するニュートンリングの発生を抑制でき、モアレ現象を抑制でき、更に正面輝度を高めることができるプリズムシートを提供することである。
【課題を解決するための手段】
【００１０】
本発明の広い局面によれば、第１の表面側に、複数のプリズムレンズを有し、上記第１の表面側とは反対の第２の表面側に、柱状の複数の凸部を有し、上記第１の表面が上方かつ上記第２の表面が下方となるようにプリズムシートを配置したときに、上記凸部１個当たりの上面の面積（ｍｍ２）が１×１０−５以上、３×１０−３以下であり、上記凸部１個当たりの下面の面積（ｍｍ２）が上記凸部１個当たりの上面の面積（ｍｍ２）の０．５倍以上、０．９倍以下であり、上記凸部における上面と側面とのなす内角（°）が４５以上、８０以下であり、隣り合う上記凸部の中心間の距離（ｍｍ）が０．０２以上、０．７以下である、プリズムシートが提供される。
【００１１】
本発明に係るプリズムシートのある特定の局面では、隣り合う上記プリズムレンズの頂部間の距離（μｍ）は、２０以上、１００以下である。
【００１２】
本発明に係るプリズムシートの他の特定の局面では、上記プリズムレンズの頂角（°）は８０以上、１０５以下である。
【００１３】
本発明に係るプリズムシートのさらに他の特定の局面では、少なくとも上記プリズムレンズが、ポリカーボネートにより形成されている。
【００１４】
本発明に係るプリズムシートのさらに他の特定の局面では、上記凸部の形状は、円錐台又は多角錐台である。
【００１５】
本発明に係るプリズムシートの別の特定の局面では、プリズムシートは、上記第２の表面側に、上記プリズムレンズの屈折率よりも屈折率が低い領域を有する。
【００１６】
本発明に係るプリズムシートのさらに別の特定の局面では、上記プリズムレンズの屈折率よりも屈折率が低い領域が、上記凸部の外表面の領域を含む。
【００１７】
本発明に係るプリズムシートのさらに別の特定の局面では、上記プリズムレンズの屈折率が１．３０以上、１．４０以下であり、上記プリズムレンズの屈折率よりも屈折率が低い領域の屈折率が１．５５以上、１．６５以下である。
【発明の効果】
【００１８】
本発明に係るプリズムシートは、プリズムレンズが設けられた第１の表面が上方かつ柱状の凸部が設けられた第２の表面が下方となるようにプリズムシートを配置したときに、上記凸部１個当たりの上面の面積（ｍｍ２）が１×１０−５以上、３×１０−３以下であり、上記凸部１個当たりの下面の面積（ｍｍ２）が上記凸部１個当たりの上面の面積（ｍｍ２）の０．５倍以上、０．９倍以下であり、上記凸部における上面と側面とのなす内角（°）が４５以上、８０以下であり、隣り合う上記凸部の中心間の距離（ｍｍ）が０．０２以上、０．７以下であるので、プリズムシートに起因するニュートンリングの発生を抑制できる。さらに、モアレ現象を抑制でき、更に正面輝度を高めることができる。
【図面の簡単な説明】
【００１９】
【図１】図１（ａ），（ｂ）及び（ｃ）は、本発明の第１の実施形態に係るプリズムシートを模式的に示す平面図、底面図及び正面断面図である。
【図２】図２は、図１に示すプリズムシートの凸部が設けられた部分を拡大して示す部分切欠正面断面図である。
【図３】図３は、本発明の第２の実施形態に係るプリズムシートを模式的に示す正面断面図である。
【図４】図４は、本発明の第３の実施形態に係るプリズムシートを模式的に示す正面断面図である。
【図５】図５は、本発明の第４の実施形態に係るプリズムシートを模式的に示す正面断面図である。
【図６】図６は、プリズムシートを得るために用いられる溶融押出装置の概略構成図である。
【発明を実施するための形態】
【００２０】
以下、図面を参照しつつ、本発明の具体的な実施形態及び実施例を説明することにより、本発明を明らかにする。
【００２１】
図１（ａ）〜（ｃ）は、本発明の第１の実施形態に係るプリズムシートを模式的に示す図である。図１（ａ）は平面図であり、図１（ｂ）は底面図である。図１（ｃ）は、図１（ａ）中のＩ−Ｉ線に沿う正面断面図である。
【００２２】
図１（ａ）〜（ｃ）に示すプリズムシート１は、第１の表面１ａに光が出射される光出射面と、第２の表面１ｂに光が入射される光入射面とを有する。光入射面は、光出射面と対向している。
【００２３】
プリズムシート１は、光出射面側である第１の表面１ａ側に、凸状のプリズムレンズ１ｃを複数有する。プリズムレンズ１ｃは、プリズムシート１の厚み方向と直交する方向に長さ方向を有する略三角柱状であり、横断面が略三角形状である。プリズムレンズ１ｃは、プリズムシート１の厚み方向と直交する方向に長さ方向を有する略二等辺三角柱状であることが好ましく、横断面が略二等辺三角形状であることが好ましい。プリズムレンズ１ｃは、横断面と直交する方向、図１（ｃ）では紙面−紙背方向に延びる稜線１ｄを有する。プリズムシート１の第１の表面１ａ側において、複数のプリズムレンズ１ｃは平行に配列されている。プリズムシート１では、プリズムレンズ１ｃの頂部は丸められている。プリズムレンズ１ｃの頂部は尖っていてもよい。
【００２４】
プリズムシート１は、第１の表面１ａとは反対の第２の表面１ｂ側に柱状の複数の凸部１ｅを有する。
【００２５】
図２に、プリズムシート１の凸部１ｅが設けられた部分を拡大して示す。
【００２６】
図２では、第１の表面１ａが上方かつ第２の表面１ｂが下方となるようにプリズムシート１が配置されている。以下、この配置状態を前提として、プリズムシート１の詳細を説明する。
【００２７】
図２に示す配置において、凸部１ｅ１個当たりの上面１ｘの面積Ａ（ｍｍ２）は、１×１０−５以上、３×１０−３以下である。すなわち、プリズムシート１では、凸部１ｅ１個当たりの上面１ｘの面積をＡ（ｍｍ２）としたときに、下記式（１）を満たす。凸部１ｅの上面１ｘは、プリズムシート１の凸部が設けられていない平面部分を基準として、突出している凸部１ｅの上端面である。
【００２８】
１×１０−５≦Ａ≦３×１０−３    ・・・式（１）
【００２９】
さらに、凸部１ｅ１個当たりの下面１ｙの面積Ｂ（ｍｍ２）は、凸部１ｅ１個当たりの上面１ｘの面積（ｍｍ２）の０．５倍以上、０．９倍以下である。すなわち、プリズムシート１では、凸部１ｅ１個当たりの上面１ｘの面積をＡ（ｍｍ２）とし、凸部１ｅ１個当たりの下面１ｙの面積をＢ（ｍｍ２）としたときに、下記式（２）を満たす。凸部１ｅの下面１ｙは、突出している凸部１ｅの下端面である。凸部１ｅは、下方に向かって先細りした形状を有する。
【００３０】
０．５Ａ≦Ｂ≦０．９Ａ    ・・・式（２）
【００３１】
なお、凸部１ｅでは、該凸部１ｅの上面の面積Ａには、後述する凸部本体１１の上面の面積と、表面層１２の上面の面積とが含まれる。
【００３２】
また、プリズムシート１では、凸部１ｅにおける上面１ｘと側面１ｚとのなす内角α１（°）が４５以上、８０以下である。すなわち、凸部１ｅにおける上面１ｘと側面１ｚとのなす内角をα１（°）としたときに、下記式（３）を満たす。凸部１ｅの側面１ｚは、斜面である。
【００３３】
４５≦α１≦８０    ・・・式（３）
【００３４】
さらに、プリズムシート１では、隣り合う凸部１ｅ，１ｅの中心間の距離ΔＷ１（ｍｍ）が０．０２以上、０．７以下である。すなわち、隣り合う凸部１ｅ，１ｅの中心間の距離をΔＷ１（ｍｍ）としたときに、下記式（４）を満たす。
【００３５】
０．０２≦ΔＷ１≦０．７    ・・・式（４）
【００３６】
本発明者らは、凸部１ｅ１個当たりの上面１ｘの面積Ａ（ｍｍ２）が１×１０−５以上、３×１０−３以下であり、凸部１ｅ１個当たりの下面１ｙの面積Ｂ（ｍｍ２）が凸部１ｅ１個当たりの上面１ｘの面積Ａ（ｍｍ２）の０．５倍以上、０．９倍以下であり、凸部１ｅにおける上面１ｘと側面１ｚとのなす内角α１（°）が４５以上、８０以下であり、かつ隣り合う凸部１ｅ，１ｅの中心間の距離ΔＷ１（ｍｍ）が０．０２以上、０．７以下である構成の採用により、プリズムシート１に起因するニュートンリングの発生を抑制でき、モアレ現象を抑制でき、更に正面輝度を高めることができることを見出した。面積Ａ及び面積Ｂの上記関係を満たす適度な大きさの凸部１ｅの形成により、プリズムシート１の第２の表面１ｂ全体でなく、第２の表面１ｂの凸部１ｅの下面１ｙのみを部分的に拡散板等の他の層に接着させることができ、接着後にプリズムシート１と他の層とに適度な空間を形成することができる。この結果、プリズムシート１に起因するニュートンリングの発生を抑制することができる。また、凸部１ｅの上面１ｘの面積Ａが下面１ｙの面積Ｂよりも適度に大きいことによって、光の拡散を防止することができ、輝度の低下を抑制することができる。
【００３７】
プリズムシート１におけるプリズム構造としては、高い光の制御機能を発揮するために、プリズムレンズ１ｃの頂角α２（°）は７０以上、１１０以下であることが好ましい。頂角α２（°）は、より好ましくは７５以上、更に好ましくは８０以上、特に好ましくは８５以上、より好ましくは１０５以下である。頂角α２（°）が上記下限以上及び上記上限以下であると、プリズムシートの輝度をより一層高めることができる。頂角α２（°）は、８０以上、１０５以下であることが特に好ましい。
【００３８】
隣り合うプリズムレンズ１ｃ，１ｃの頂部間の距離、すなわち溝ピッチΔＷ２（μｍ）は、１０以上、３００以下であることが好ましい。溝ピッチΔＷ２（μｍ）は、より好ましくは２０以上、より好ましくは２００以下、更に好ましくは１００以下である。溝ピッチΔＷ２が上記下限以上であると、プリズムシートの製造が容易である。溝ピッチΔＷ２が上記上限以下であると、液晶表示セル又はカラーフィルターの周期とモアレを生じ難く、外観不良が生じ難い。
【００３９】
プリズムシート１の厚み、すなわち第１の表面１ａと第２の表面１ｂとを結ぶ方向のプリズムシート１の厚みは特に限定されず、例えば平均厚みで５０μｍ以上、５００μｍ以下程度である。連続生産を容易にする観点からは、プリズムシート１の平均厚みは、より好ましくは１００μｍ以上、より好ましくは４００μｍ以下である。
【００４０】
プリズムシート１の第２の表面１ｂ側の設けられた凸部１ｅは、柱状であり、四角錐台状である。プリズムシートの第２の表面側に設けられた凸部の形状は、円錐台又は多角錐台であることが好ましく、円錐台又は四角錐台であることがより好ましい。このような形状の凸部の形成により、プリズムシートに起因するニュートンリングの発生をより一層抑制でき、モアレ現象をより一層抑制でき、更に正面輝度を高めることができる。凸部が円錐台形状又は四角錐台形状である場合に、プリズムシートの厚み方向における凸部の断面形状は台形であることが好ましい。
【００４１】
また、図２に示すように、プリズムシート１では、凸部１ｅは、凸部本体１１と、第２の表面１ｂ側において凸部本体１１の外表面を被覆している表面層１２とを有する。プリズムシート１では、表面層１２と表面層１２を除く部分とは、屈折率が異なる材料を用いて形成されている。表面層１２を除く部分の屈折率よりも、光入射面である表面層１２の屈折率が低い。プリズムシート１では、表面層１２が低屈折率材料により形成されている。表面層１２を除く部分の屈折率よりも、光入射面である表面層１２の屈折率を低くすることによって、プリズムシート１に光が至ったときに、プリズムシート１により反射される光を少なくすることができ、プリズムシート１を用いた液晶表示装置などの輝度を高めることができる。上記屈折率とは、５８９ｎｍでの屈折率を示す。
【００４２】
プリズムシートにより反射される光を少なくし、輝度を高める観点からは、プリズムシートは第２の表面側に、プリズムレンズの屈折率よりも屈折率が低い領域を有することが好ましい。
【００４３】
プリズムシートにより反射される光をより一層少なくし、輝度をより一層高める観点からは、プリズムレンズの屈折率よりも屈折率が低い領域が、凸部の外表面の領域を含むことが好ましい。プリズムレンズの屈折率よりも屈折率が低い領域が、凸部の外表面の領域と凸部の外表面以外の第２の表面の領域とを含んでいてもよい。
【００４４】
プリズムシートにより反射される光をさらに一層少なくし、輝度をより一層高める観点からは、プリズムレンズの屈折率よりも屈折率が低い領域の屈折率が、プリズムレンズの屈折率よりも０．０１以上低いことがより好ましく、０．０５以上低いことが更に好ましく、０．１以上低いことが特に好ましい。プリズムシートにより反射される光をさらに一層少なくし、輝度をより一層高める観点からは、プリズムレンズの屈折率が１．３０以上、１．４０以下であり、プリズムレンズの屈折率よりも屈折率が低い領域の屈折率が１．５５以上、１．６５以下であることが特に好ましい。
【００４５】
図３に、本発明の第２の実施形態に係るプリズムシートを正面断面図で示す。
【００４６】
図３に示すプリズムシート２１は、第１の表面２１ａ側に、凸状の複数のプリズムレンズ２１ｃを有し、第２の表面２１ｂ側に柱状の複数の凸部２１ｅを有する。プリズムシート２１では、凸部２１ｅ全体が低屈折率材料により形成されている。凸部２１ｅと凸部２１ｅを除く部分とは、屈折率が異なる材料を用いて形成されている。凸部２１ｅを除く部分の屈折率よりも、光入射面である凸部２１ｅの屈折率が低い。
【００４７】
図４に、本発明の第３の実施形態に係るプリズムシートを正面断面図で示す。
【００４８】
図４に示すプリズムシート３１は、第１の表面３１ａ側に、凸状の複数のプリズムレンズ３１ｃを有し、第２の表面３１ｂ側に柱状の複数の凸部３１ｅを有する。プリズムシート３１では、プリズムレンズ３１ｃを含む第１の表面３１ａ全体の屈折率よりも、光入射面である凸部３１ｅを含む第２の表面３１ｂ全体の屈折率が低い。プリズムレンズ３１を含む第１の表面３１ａ全体と、凸部３１ｅを含む第２の表面３１ｂ全体とが、屈折率が異なる材料を用いて形成されている。凸部３１ｅだけでなく、凸部３１ｅの周囲に位置する第２の表面３１ｂ部分も低屈折率材料により形成されている。
【００４９】
プリズムシート２１，３１でも、プリズムシート２１，３１に光が至ったときに、光入射面である第２の表面１ｂ側に低屈折率部分が設けられているため、プリズムシート１により反射される光を少なくすることができ、プリズムシート２１，３１を用いた液晶表示装置などの輝度を高めることができる。
【００５０】
図５に、本発明の第４の実施形態に係るプリズムシートを正面断面図で示す。
【００５１】
図５に示すプリズムシート４１は、第１の表面４１ａ側に、凸状の複数のプリズムレンズ４１ｃを有し、第２の表面４１ｂ側に柱状の複数の凸部４１ｅを有する。プリズムシート４１では、プリズムシート４１全体が１つの材料により形成されている。このように、低屈折率材料は必ずしも用いられていなくてもよい。プリズムシート全体を１つの材料により形成する場合には、プリズムシートの製造が容易である。
【００５２】
プリズムシートは、光透過性を有する。プリズムシートは、光透過性の材料により形成されている。プリズムシートの光が透過する光の波長領域は特に限定されない。該波長領域は、用途に応じて適宜選択できる。例えば、プリズムシートが液晶表示装置の導光板として用いられる場合、一般には、３８０ｎｍ以上、７００ｎｍ以下程度の可視光領域が、透過光の波長領域として設定される。
【００５３】
プリズムシートの透明性を高める観点からは、プリズムシート１の材料の主体は透明であることが好ましい。プリズムシートの材料１００重量％中、８０重量％以上の材料が透明であることが好ましい。
【００５４】
プリズムシートの材料である上記熱可塑性樹脂は特に限定されない。上記熱可塑性樹脂としては、（メタ）アクリル樹脂、ポリカーボネート、ポリスチレン、ポリ塩化ビニル、ポリプロピレン、ポリメチルペンテン等のポリオレフィン、環状ポリオレフィン、ポリエチレンテレフタレート、ポリブチレンテレフタレート、ポリエチレンナフタレート等のポリエステル系樹脂、ポリアミド樹脂、ポリアリレート及びポリイミド等が挙げられる。
【００５５】
少なくともプリズムレンズが、ポリカーボネートにより形成されていることが好ましい。プリズムシートの５０重量％以上が、ポリカーボネートにより形成されていることが好ましい。ポリカーボネートの使用により、プリズムシートの透明性を高めることができ、更に耐熱性及び耐候性も高めることができる。透明性、耐熱性及び耐候性を高めるために、プリズムシート全体が、ポリカーボネートにより形成されていることが好ましい。但し、部分的に屈折率を異ならせるために、ポリカーボネートとポリカーボネート以外の樹脂とを用いてもよい。
【００５６】
プリズムシートの材料として、透光性を阻害しない範囲で、耐候剤、架橋助剤又は補強剤等を適宜用いてもよい。
【００５７】
本発明に係るプリズムシートは、バックライトユニットに好適に用いられる。本発明に係るプリズムシートは、液晶表示装置に好適に用いられる。光学シートは、透写型表示装置又はテレビジョン受像機などの様々な光学装置において、光源からの光の利用効率を高める用途に適宜用いることができる。さらに、光学シートは、照明器具にも用いることができる。
【００５８】
以下、実施例を掲げて本発明を更に詳しく説明する。本発明はこれら実施例のみに限定されない。
【００５９】
（実施例１）
図６に示す溶融押出装置５１を用いて、溶融押出法により、図５に示すプリズムシート４１を作製した。
【００６０】
ポリカーボネートである透明樹脂（「パンライト  １２２５ＺＥ」、帝人化成社製、５８９ｎｍにおける屈折率１．５８）を、ダイス５２からシート状に溶融押出しして、成膜した。プリズムシートのプリズムレンズ形状を反転した形状に相当する凹部を表面に有する第１の賦型ロール５３と、プリズムシートの柱状の凸部形状を反転した形状に相当する凹部を表面に有する第２の賦型ロール５４とを用いて、成膜された熱可塑性樹脂Ａを、第１の賦型ロール５３と第２の賦型ロール５４との間で挟圧し、賦型して、搬送した。これにより、賦型シートの第１の表面側にプリズムレンズ形状の凸部を形成し、かつ賦型シートの第２の表面側に柱状の凸部を形成した。
【００６１】
その後、賦型シートを冷却ロールにより冷却し、平均厚みが１５０μｍであるプリズムシートを得た。得られたプリズムシートにおける柱状の凸部の形状、面積Ａ、面積Ｂ、内角α１及び中心間距離ΔＷ１、並びにプリズムレンズの溝ピッチΔＷ２及び横断面が二等辺三角形状であるプリズムレンズの頂角α２は下記の表１に示す値であった。
【００６２】
（実施例２〜２５）
第１，第２の賦型ロールの種類をかえて、凹部の形状が異なる第１，第２の賦型ロールを用いたこと以外は実施例１と同様にして、プリズムシートにおける柱状の凸部の形状、面積Ａ、面積Ｂ、内角α１及び中心間距離ΔＷ１、並びにプリズムレンズの溝ピッチΔＷ２及び頂角α２が下記の表１に示す値であるプリズムシートを得た。
【００６３】
（比較例１）
第２の賦型ロールにかえて、表面が平滑であり、表面に凹部を有さないタッチロールロールを用いたこと以外は実施例１と同様にして、プリズムレンズの溝ピッチΔＷ２及びプリズムレンズの頂角α２が下記の表１に示す値であるプリズムシートを得た。得られたプリズムシートは、第２の表面側に柱状の凸部を有さなかった。
【００６４】
（比較例２〜８）
第１，第２の賦型ロールの種類をかえて、凹部の形状が異なる第１，第２の賦型ロールを用いたこと以外は実施例１と同様にして、プリズムシートにおける柱状の凸部の形状、面積Ａ、面積Ｂ、内角α１及び中心間距離ΔＷ１、並びにプリズムレンズの溝ピッチΔＷ２及び頂角α２が下記の表１に示す値であるプリズムシートを得た。
【００６５】
（実施例２６）
図６に示す溶融押出装置５１を用いて、溶融押出法により、図１に示すプリズムシート１を作製した。
【００６６】
ポリカーボネートである透明樹脂（「パンライト  １２２５ＺＥ」、帝人化成社製、５８９ｎｍにおける屈折率１．５８）を、ダイス５２からシート状に溶融押出しして、成膜した。プリズムシートのプリズムレンズ形状を反転した形状に相当する凹部を表面に有する第１の賦型ロール５３と、プリズムシートの柱状の凸部形状を反転した形状に相当する凹部を表面に有し、かつ該凹部の内周面に用樹脂したフッ素樹脂（低屈折率材料、サイトップ、「ＣＴＸ−８０９ＡＰ」、旭硝子社製、５８９ｎｍにおける屈折率１．３４）を充填した第２の賦型ロール５４とを用いて、成膜された熱可塑性樹脂Ａを、第１の賦型ロール５３と第２の賦型ロール５４との間で挟圧し、賦型して、搬送した。これにより、賦型シートの第１の表面側にプリズムレンズ形状の凸部を形成した。さらに、賦型シートの第２の表面に凸部本体と、該凸部本体の表面を被覆しており、かつ低屈折率材料により形成された表面層とを有する柱状の凸部を形成した。
【００６７】
その後、賦型シートを冷却ロールにより冷却し、平均厚みが１５０μｍであるプリズムシートを得た。得られたプリズムシートにおける柱状の凸部の形状、面積Ａ、面積Ｂ、内角α１及び中心間距離ΔＷ１、並びにプリズムレンズの溝ピッチΔＷ２及び横断面が二等辺三角形状であるプリズムレンズの頂角α２は下記の表２に示す値であった。
【００６８】
（実施例２７〜５０）
第１，第２の賦型ロールの種類をかえて、凹部の形状が異なる第１，第２の賦型ロールを用いたこと以外は実施例２６と同様にして、プリズムシートにおける柱状の凸部の形状、面積Ａ、面積Ｂ、内角α１及び中心間距離ΔＷ１、並びにプリズムレンズの溝ピッチΔＷ２及び頂角α２が下記の表２に示す値であるプリズムシートを得た。
【００６９】
（比較例９）
第２の賦型ロールにかえて、表面が平滑であり、表面に凹部を有さないタッチロール賦型ロールを用いたこと、並びに２層押出法により第１の表面側をポリカーボネート（「パンライト  １２２５ＺＥ」、帝人化成社製）により形成し、第２の表面側をフッ素樹脂（低屈折率材料、サイトップ、「ＣＴＸ−８０９ＡＰ」、旭硝子社製）により形成したこと以外は実施例２６と同様にして、２層構造を有するプリズムシートであって、プリズムレンズの溝ピッチΔＷ２及びプリズムレンズの頂角α２が下記の表２に示す値であるプリズムシートを得た。得られたプリズムシートは、第２の表面側に凸部を有さなかった。
【００７０】
（比較例１０〜１６）
第１，第２の賦型ロールの種類をかえて、凹部の形状が異なる第１，第２の賦型ロールを用いたこと以外は実施例２６と同様にして、プリズムシートにおける柱状の凸部の形状、面積Ａ、面積Ｂ、内角α１及び中心間距離ΔＷ１、並びにプリズムレンズの溝ピッチΔＷ２及びプリズムレンズの頂角α２が下記の表２に示す値であるプリズムシートを得た。
【００７１】
（評価）
（１）輝度
輝度を評価するために、ＧｒｅｅｎＨｏｕｓｅ社製１９インチモニターのバックライトユニット（ＣＣＦＬ長辺２灯式）を用いた。光源を配置し、導光板上に拡散シート（恵和社製「ＢＳ９１２」）を載せて、その上にプリズムレンズが上方になるように得られたプリズムシートを載せ、評価サンプルを得た。視野角特性測定装置（ＥＬＤＩＭ社製「ＥＺＣｏｎｔｒａｓｔ８０」を用いて、評価サンプルの０°における輝度（正面輝度）を測定した。
【００７２】
（２）ニュートンリング
輝度の評価で得られた評価サンプルにおいて、ニュートンリングの有無を５０人が目視で観察した。ニュートンリングを下記の判定基準で判定した。
【００７３】
［ニュートンリングの判定基準］
○○：ニュートンリングが見られると判断した人が０人
○：ニュートンリングが見られると判断した人が１〜５人
×：ニュートンリングが見られると判断した人が６〜５０人
【００７４】
（３）モアレ現象
モニターの上に、プリズムレンズが上方になるように得られたプリズムシートを載せて、モアレ現象の有無を５０人が目視で観察した。モアレ現象を下記の判定基準で判定した。
【００７５】
［モアレ現象の判定基準］
○○：モアレ現象が見られると判断した人が０人
○：モアレ現象が見られると判断した人が１〜５人
×：モアレ現象が見られると判断した人が６〜５０人
【００７６】
（４）明暗むら
輝度の評価で得られた評価サンプルにおいて、明暗むらを５０人が目視で観察した。明暗むらを下記の判定基準で判定した。
【００７７】
［明暗むらの判定基準］
○○：明暗むらが見られると判断した人が０人
○：明暗むらが見られると判断した人が１〜５人
×：明暗むらが見られると判断した人が６〜５０人
【００７８】
結果を下記の表１〜２に示す。下記の表１〜２において、「Ｅ−０２」は１０−２、「Ｅ−０３」は１０−３、「Ｅ−０４」は１０−４、「Ｅ−０５」は１０−５を示す。下記の表２において、ＰＣはポリカーボネート（「パンライト  １２２５ＺＥ」、帝人化成社製）を示し、ＦＲはフッ素樹脂（サイトップ、「ＣＴＸ−８０９ＡＰ」、旭硝子社製）を示す。
【００７９】
【表１】
2012068514.tif 000003
【００８０】
【表２】
2012068514.tif 000004
【符号の説明】
【００８１】
１…プリズムシート
１ａ…第１の表面
１ｂ…第２の表面
１ｃ…プリズムレンズ
１ｄ…稜線
１ｅ…凸部
１ｘ…上面
１ｙ…下面
１ｚ…側面
１１…凸部本体
１２…表面層
２１，３１，４１…プリズムシート
２１ａ，３１ａ，４１ａ…第１の表面
２１ｂ，３１ｂ，４１ｂ…第２の表面
２１ｃ，３１ｃ，４１ｃ…プリズムレンズ
２１ｅ，３１ｅ，４１ｅ…凸部
【図１】
2012068514.tif 000005
【図２】
2012068514.tif 000006
【図３】
2012068514.tif 000007
【図４】
2012068514.tif 000008
【図５】
2012068514.tif 000009
【図６】
2012068514.tif 000010